(57)【特許請求の範囲】
【請求項１】
中央部に注湯口（５）を開設する基板（３）の左右両側縁部からこの側縁部を基点に折曲げられ相対向する一対の支持脚片（４，４）を延設し、横長長方形状に形成すると共に、前記支持脚片（４，４）の脚端に中央部に内側狭持片（７）を、その両側に外側狭持片（８）を各形成する濾過器本体（１）と、該濾過器本体（１）の下面に止着して前記注湯口（５）を下から囲む内部に被抽出物を収容可能にする袋状フィルタ（２）とからなるドリップ式簡易濾過器にあって、
前記袋状フィルタ（２）は、折曲げ基準線（９）を基線に折曲げることによって対面する２つの袋片（１１ａ，１１ｂ）と、この袋片から延設され、且つそれぞれ水平に直角状に折曲げられる２つの袋片（１２ａ，１２ｂ）とから構成し、前記２つの袋片（１１ａ，１１ｂ）は接面する左右の端を接着して袋の本体部分を形成し、また該２つの袋片（１１ａ，１１ｂ）から延設する前記２つの袋片（１２ａ，１２ｂ）は突き合わせた状態において前記濾過器本体（１）の大きさに揃えると共に、該濾過器本体の背面の全面に亘って接面させ、各縁部に沿って形成するのり代部（１４ａ，１４ｂ）を接着して前記支持脚片（４，４）及び前記内側挟持片（７）の背面において前記のり代部（１４ａ，１４ｂ）の接着部と非接着領域（１７）との止着境界線（１６）を前記基板（３）の縁部から前記内側狭持片（７）に亘って斜めに形成して該止着境界線（１６，１６）が略Ｖ字形をなすように接着固定して前記濾過器本体（１）の下面に前記袋状フィルタ（２）を止着形成することを特徴としたドリップ式簡易濾過器。
【発明の詳細な説明】
【０００１】
【発明の属する技術分野】
本発明は、コーヒー液等を抽出するのに便利な使い捨てタイプの簡易濾過器に関する。
【０００２】
【従来の技術】
コーヒー粉末に直接湯を注いでレギュラーコーヒーを抽出する濾過器で、一回の使用で使い捨てにする簡易形の濾過器については数多くの提案があり、又実用化され、市販されている。
本発明はコーヒーの濾過器として代表されるこの種使い捨てタイプの濾過器にあって、厚手のシート素材を横長長方形状に形成して略中央部に開設する注湯口を挟む左右の部分を支持脚片とする濾過器本体の下面に袋状のフィルタを一体に止着してなる濾過器の改善に関する。
【０００３】
更に詳述すると、本発明は左右に支持脚片を一体に備えた濾過器本体の下面にフィルタ製の袋を止着して、使用時には濾過器本体の左右の支持脚片をそれぞれ下方に折り曲げ門形にしたのち、この脚片の各脚端に備える内外の狭持片をコーヒーカップ等の容器の縁に係合させて起立させ、この状態において濾過器本体の前記注湯口に湯を注ぎ、前記袋状フィルタ内に収容するコーヒー粉末からコーヒー液を抽出する所謂ドリップ式の簡易濾過器の改善に関するものである。
【０００４】
上記濾過器の例として実公昭５２ー２７０３号公報記載のコーヒー濾過器、或は本出願人が提案した特公昭５９ー３０４１１号公報、同６１ー３６９３号公報等に記載のコーヒー等の濾過器が公知である。
これらの濾過器は支持脚片を備える基板（支持板）の裏面にフィルタ製の袋を止着してあり、使用時には上記支持脚片を門形に折り曲げ各脚端に備える突片（狭持片）をカップの縁に止着させることでカップ上に載置し、このとき吊設状に支持される上記袋に湯を注ぐことでコーヒー液を抽出しカップに直接回収するものとなっている。
【０００５】
この濾過器は、上述の様にカップ上に載置して使用することから大きさがこのカップを基準にして形成され、また抽出したコーヒー液をフィルタ袋の底部から滴下してカップに回収するドリップ式の濾過器であることからフィルタ袋を縦長に形成できない制約があり、必然的に全体の形状が小型にならざるを得ない事情がある。
このため、従来の濾過器によりコーヒー液を抽出する場合、カップにコーヒー液を満たすにはカップ一杯分の湯を一度に注ぎ込むことができず、数回に分けて注ぎ込む必要があった。
【０００６】
【発明が解決しようとする課題】
本発明は、この様な事情に鑑みこれを改善する目的で開発されたもので、カップ上に載置可能な大きさの中で、袋状に形成されるフィルタの容量の大型化を図り、湯の注ぎ込み作業を容易にすると同時に、この大型化に伴ってフィルタ周囲から抽出されたコーヒー液がカップ外に漏れ出すのを有効に回避できるようにしたドリップ式の使い捨てタイプの簡易濾過器を提供することにある。
【０００７】
【課題を解決するための手段】
本発明は上記目的を達成するため、基板と左右対の支持脚片を備えた濾過器本体の下面に止着される袋状のフィルタを横長の船形袋状に形成し、その長さ方向を前記濾過器本体の長さ方向に揃えて左右の両端部を前記支持脚片の脚端中央部に設ける内側狭持片の下面に臨ませ、該両端部の開口縁部を支持脚片の下面においてそれぞれの止着境界線がＶ字形をなすように止着すると共に、前後の開口縁部を前記濾過器本体の基板の前後の縁部下面に止着して一体に組付るようにしたことにある。
【０００８】
更に本発明を詳述するならば、本発明は中央部に注湯口を開設する基板の左右両側縁部から支持脚片を延設して略横長長方形状に形成し、前記支持脚片の脚端に中央部に内側狭持片を、その両側に外側狭持片を各形成する濾過器本体と、該濾過器本体の下面に止着し前記注湯口を下から囲み塞ぐと共に、内部に被抽出物を収容する袋状のフィルタとからなるドリップ式簡易濾過器において、
前記フィルタは横長の船形袋状に形成して前記濾過器本体と長さ方向を揃え、左右両端部の開口縁部を前記内側狭持片の下面に臨ませると共に、前後の開口縁部を前記基板の前後の縁部下面に添わせて一体に止着し、前記左右両端部の開口縁部における前記濾過器本体との止着境界線をそれぞれ支持脚片の下面において略Ｖ字形にしてなることを特徴としたドリップ式簡易濾過器を提供することにある。
【０００９】
【発明の実施の形態】
添付する図面は本発明の実施の形態を示したもので、次にこの図面に従って詳述し本発明の特徴とするところを明らかにする。
図１は本発明に係る濾過器の平面図であり、図２は図１のＡ−Ａ線断面図である。図面において符号１は濾過器本体であり、２は袋状のフィルタである。
【００１０】
濾過器本体１は中心となる基板３と、この基板の両側に延設される左右の支持脚片４，４からなり、全体の形状が図示するように略横長の長方形状をなすように作られている。
この濾過器本体１は後述する使用時の形状を維持するため所要の剛性を有した厚紙、或はプラスチックシート等を材料にして成形されるが、ここでは厚紙をもって成形してある。
【００１１】
図３はこの濾過器本体１を示す平面図で、中央の基板３には湯を注ぎ込むための注湯口５が矩形に開設してあり、両側の支持脚片４，４の各脚端６，６には幅方向の中央部に内側狭持片７を、その両側に外側狭持片８，８を突き出すように形成してある。
【００１２】
上記内外の狭持片７，８は後述するように本発明濾過器をカップ上に載置し使用するとき、このカップの開口縁部を狭持し安定的に固定するため使用されるもので、内側狭持片７はカップの縁の内側に差し入れ、外側狭持片８，８は縁の外側に突き出してこの開口部縁を内外から挟み付けるものとなる。このため上記内外の片は狭持する際に外れないように充分な突き出し長さに形成して片相互の間にカップの開口部の縁が充分に入り込める深さにしてある。
【００１３】
図４乃至図６は上記濾過器本体１に組付ける前の袋状フィルタ２を示したものである。図４は濾過器本体１に組付ける直前のフィルタの平面図で、図５は図４のＢ−Ｂ線断面図、図６は袋状フィルタを展開した状態の平面図である。
【００１４】
袋状フィルタ２の成形は図示するものに限られないが、ここでは製造上の有利性からビスコース紙等の偏平なフィルタシートから切出し、折りたゝむことで袋状に形成する例について示している。
図６は袋状フィルタ２の展開図であるが、袋状フィルタはフィルタ素材からこの展開した姿、つまり略正方形のシート片として切出し、折りたゝみ成形することになる。
【００１５】
上記切出されたシート片は、中央部に横の折り曲げの基準線９を設け、この基準線から上下に等間隔を置いて第２の折り曲げ線１０，１０を設けて２つの袋片１１ａ，１１ｂと、２つの袋片１２ａ，１２ｂを上下対称形に形成する。そして、上記基準線９を基線に上記２つの袋片１１ａ，１１ｂを接面する如く折り曲げ、このとき各片の左右両端に設けるのり代部１３ａ，１３ｂをそれぞれ接着してこの２つの袋片１１ａ，１１ｂで袋の本体部分を形成する。
【００１６】
その後、第２の折り曲げ線１０，１０の縁に続く袋片１２ａ，１２ｂをこの線１０，１０を基点に直角状に折り曲げて水平に開き、この２つの袋片１２ａ，１２ｂの縁部に沿って形成するのり代部１４ａ，１４ｂを前記濾過器本体１の下面（背面）に添わせ接着して本発明濾過器を完成させる。
【００１７】
上記袋状フィルタについて更に詳述すると、正方形状に切り出すシート片は横の長さと略等しくして重ね合せにしたとき一致するようにしてあり、また上下の長さは濾過器本体の上下の幅の略２倍にして袋片１１ａ，１１ｂを接面状に合せてのり代部１３ａ，１３ｂで互いに接着したとき、これらの片から外に広がる２つの袋片１２ａ，１２ｂの幅が濾過器本体１の上下の幅と一致するようにしてある。
【００１８】
そして、上記袋片１２ａ，１２ｂの縁部に沿ってそれぞれ形成されるのり代部１４ａ，１４ｂは各中央部において狭くして基体３の上下の縁部の幅に合せてあり、こののり代部の左右両端部分は直角三角形状に設けて支持脚片４，４の下面に収まるようにしてある。
【００１９】
そして更に、袋片１２ａ，１２ｂの左右両端部には上記直角三角形状をなすのり代部１４ａ，１４ｂについて、これが切り込まれるように切欠き部１５が設けてある。
【００２０】
上記の構造から袋状フィルタ２は前述したようにのり代部１３ａ，１３ｂを接着して２枚の袋片１１ａ，１１ｂを袋形にし、更にその外側の２つの袋片１２ａ，１２ｂを水平に開いたとき、この展開した２つの袋片１２ａ，１２ｂは図４に示したように前記濾過器本体１の形状と略同一のものとなり、この図面に斜線で示したのり代部１４ａ，１４ｂを本体１の下面に接着すると、この下面の略全体に接着することになる。
【００２１】
図１は濾過器本体１の下面に袋状フィルタ２を接着して本発明濾過器の完成状態を示した平面図である。この図において符号１６で示す破線は左右の支持脚片４，４の下面において袋片１２ａ，１２ｂと接着せずに露出した状態となる部分との境界を示す接着境界線である。
この接着境界線１６は各袋片１２ａ，１２ｂの両端において基板３の縁部の端から内側狭持片７の中央部に至る斜線となって現われ、前後の２線の合成によって略Ｖ字形をなす境界線を作り、左右の支持脚片４，４の下面に三角形状の非接着領域１７，１７を形成する。
【００２２】
上記接着境界線１６は使用の際にフィルタ２を透過したコーヒー液等の抽出液がカップの外に漏れ出すのを防止するため機能するものであり、この関係を次に使用の実際を通して説明することにする。
【００２３】
本発明濾過器は、完成した状態では図１に示したように偏平な状態にある。濾過器本体１に対し下面に止着した袋状フィルタ２は前述したように袋片１２ａ，１２ｂの各のり代部１４ａ，１４ｂを接着することによって該袋片１２ａ，１２ｂを本体１の下面に密着させた状態におかれ、また端部ののり代部１３ａ，１３ｂ同志を接着して袋状とした袋片１１ａ，１１ｂは互いに接面して濾過器本体の横中心線に沿って垂直に垂れ下がった状態となる（図２参照）。
【００２４】
濾過器を収納したり、纏めて包装したりする場合は垂下する袋片１１ａ，１１ｂの部分を図２の２点鎖線のように折って本体１の下面に添わせ偏平な状態にたゝむことになる。
【００２５】
この濾過器の使用は、先ず偏平な状態にある濾過器本体１を基板３と支持脚片４の境界位置で折り曲げ門形にすることから始まる。このときの折り曲げ位置は多少のずれがあっても問題とならないが、図１に示したように予め折り曲げ位置を線状に圧迫して折り曲げ線１８を形成しておくと、容易にしかも正確に門形形状に組立てることができる。
【００２６】
左右の支持脚片４，４を折り曲げると、これらの下面に止着された袋状をなすフィルタ２の左右両端が寄り合うため、閉じた状態にある折り曲げ線１０，１０が前後に離れてフィルタを袋状に開き開口することになる。
【００２７】
カップ１９に対する装着は図示するように支持脚片４，４の内側狭持片７を開口部縁の内側に差し入れ、そのまゝ押し付けることによって行われる。
この内側狭持片７の差し入れに伴って外側狭持片８，８が開口縁部の外に突き出し、内外から挟む形となるため濾過器は安定した状態で載置固定されることになる。
【００２８】
そして、カップ１９上に載置された濾過器は、左右に起立する支持脚片４，４の間にフィルタ２を抱え込んで袋状に開き、その底部をカップの上方に吊り下げた状態に保持することになる。
【００２９】
本発明濾過器によるコーヒー等の抽出は、上述の様にカップ１９上に載置したのち、注湯口５から所要量のコーヒー粉末（コーヒーカップ１杯分の抽出に当っては約７〜１０ｇ程度のコーヒー粉末）を投入し、これに湯を注ぎ込むことによって行うことになる。
湯の量はカップ１９にコーヒー液が満たされる範囲を限度とし、この量において適正濃度のコーヒー液が得られることになる。
【００３０】
以上本発明濾過器は図示する実施の形態に基づき説明した如く構成され使用されるが、この濾過器は門形に折り曲げ組立られる濾過器本体１の下面全面に亘る大きさのフィルタ２を備える構造とすることから、濾過器本体１を含む全体を小型化しても必要充分なフィルタ２の容積を確保することができるものとなる。
【００３１】
また、この濾過器は、抽出液を受けるカップ１９の大きさを基準にして大きさが決められるが、フィルタ２を濾過器本体１の大きさに合せて形成し、容積を拡大していることから、注ぎ込む湯量を多くすることができ、従って湯の注ぎ込み作業を少なくすることができる。
【００３２】
また、この湯の注ぎ込みによってフィルタ２内に湯が満たされた場合、フィルタ全面から濾過したコーヒー液が透過し、フィルタの外表面を伝わって流れることになるが、このとき支持脚片４，４の下面に接したフィルタ部分においては接着境界線１６が注湯口５の縁部から脚端の内側狭持片７に向って形成され、この境界線１６の外側においてフィルタとの接触が外れることから、濾過したコーヒー液はこの境界線１６に透導されてカップ１９の内側に差し込まれる内側狭持片７に向って流れ落ちることになる。このため支持脚片４を伝わってカップ外に漏れることが回避されることになる。
【００３３】
ところで、上述の説明では濾過器単体のものとして説明したが、フィルタ２内に予めコーヒー粉末等を収納し、これを気密性の包装袋に収めてコーヒー粉末入りの濾過器として取扱ってもよいことは言うまでもないことであり、また、濾過する内容物はコーヒー粉末に限られるものではなく緑茶、紅茶等の濾過器としても同様に使用が可能であり、その用途は使用者において自由に選択できるものである。
【００３４】
【発明の効果】
以上の通り、本発明濾過器は濾過器本体の大きさに合せた袋状フィルタの形成ができるため、容積の大型化が可能であり、これによって湯の注ぎ込み回数を減らすことができるため濾過抽出の作業が楽になる利点がある。
また、本発明濾過器はフィルタが大振りになるにもかゝわらず、フィルタと支持脚片の接着境界線が脚端の中央部に向って形成され、フィルタ外表面を伝わって流れる抽出液がこの接着境界線に沿ってカップの内側に突き入れる内側狭持片に流れるため液の漏れ出しがなく衛生的に、且つ安全に使用できる利点がある。
【図面の簡単な説明】
【図１】本発明濾過器の展開した状態の平面図。
【図２】図１のＡ−Ａ線断面図。
【図３】濾過器本体の平面図。
【図４】濾過器本体に止着する前の袋状フィルタの平面図。
【図５】図４のＢ−Ｂ線断面図。
【図６】袋状フィルタの展開図。
【図７】使用状態を説明する斜視図である。
【符号の説明】
１                濾過器本体
２                袋状のフィルタ
３                濾過器本体の基板
４                支持脚片
５                注湯口
７                内側狭持片
８                外側狭持片
９                折り曲げ基準線
１０              折り曲げ線
１１ａ，１１ｂ    袋片
１２ａ，１２ｂ    袋片
１３ａ，１３ｂ    のり代部
１４ａ，１４ｂ    のり代部
１６              接着境界線
１７              非接着領域
【図１】
0003841159.tif 000002
【図２】
0003841159.tif 000003
【図３】
0003841159.tif 000004
【図４】
0003841159.tif 000005
【図５】
0003841159.tif 000006
【図６】
0003841159.tif 000007
【図７】
0003841159.tif 000008